(57)【要約】【課題】複数の負荷へ電流を出力する場合に、一の負荷へ出力する電流を変化させたときでも他の負荷へ出力する電流の変動を防止することができる電源装置及び照明装置を提供する。【解決手段】定電流回路１０は、供給する電流が一定になるように制御する。ＰＷＭ回路２０、３０は、ＬＥＤ負荷１、２へ出力する電流のオン時間とオフ時間とを調整する。制御部５０は、ＬＥＤ負荷１へ出力する電流を変更するための調光用の信号を受信部４０で受信した場合、ＬＥＤ負荷１へ出力する電流が、受信した調光用の信号に応じた電流となるようにＰＷＭ回路２０を制御するとともに、ＰＷＭ回路３０を制御して、ＬＥＤ負荷２へ出力する電流が変動しないようにする。【選択図】図１
2012221714.tif 000002
【特許請求の範囲】
【請求項１】
所定の電流を供給する電流供給部と、該電流供給部と該電流供給部に対して並列に接続される複数の負荷それぞれとの間に設けられ、該電流供給部からの電流をそれぞれの負荷へ出力する複数のパルス幅変調部と、任意の負荷へ出力する電流をパルス幅変調するための信号を受付ける受付部とを備える電源装置において、
前記受付部で一の負荷へ出力する電流をパルス幅変調するための信号を受付けた場合、該受付けの前後で他の負荷へ出力する電流を維持する電流維持部を備えることを特徴とする電源装置。
【請求項２】
前記受付部で一の負荷へ出力する電流をパルス幅変調するための信号を受付けた場合、該一の負荷へ出力する電流をパルス幅変調するパルス幅変調部は、出力する電流のオン／オフ時間を調整するようにしてあり、
前記電流維持部は、
各パルス幅変調部でそれぞれの負荷へ出力する電流のオン時間が重ならないように調整させて前記他の負荷へ出力する電流を維持するように構成してあることを特徴とする請求項１に記載の電源装置。
【請求項３】
前記所定の電流を設定する電流設定部を備え、
前記受付部で一の負荷へ出力する電流をパルス幅変調するための信号を受付けた場合、該一の負荷へ出力する電流をパルス幅変調するパルス幅変調部は、出力する電流のオン／オフ時間を調整するようにしてあり、
前記電流維持部は、
各パルス幅変調部で調整するオン時間が重なる時間帯で前記電流設定部が設定する電流値を大きくして前記他の負荷へ出力する電流を維持するように構成してあることを特徴とする請求項１に記載の電源装置。
【請求項４】
前記電流維持部は、
前記受付部で一の負荷へ出力する電流をパルス幅変調するための信号を受付けた場合、該一の負荷へ出力する電流をパルス幅変調するパルス幅変調部以外の他のパルス幅変調部で電流のオン／オフ時間を調整させるように構成してあることを特徴とする請求項２又は請求項３に記載の電源装置。
【請求項５】
前記受付部で受付ける信号と関連付けて、各パルス幅変調部で出力する電流のオン／オフ時間を予め記憶する記憶部を備え、
前記電流維持部は、
前記受付部で受け付けた信号に対応して、各パルス幅変調部で出力する電流のオン／オフ時間を調整させるようにしてあることを特徴とする請求項１から請求項４までのいずれか１項に記載の電源装置。
【請求項６】
所定の電流を供給する電流供給部と、該電流供給部と該電流供給部に対して並列に接続される複数の負荷それぞれとの間に設けられ、該電流供給部からの電流をオン／オフしてそれぞれの負荷へ電流を出力する複数のスイッチ部と、任意の負荷へ出力する電流をオン／オフするための信号を受付ける受付部とを備える電源装置において、
前記受付部で一の負荷へ出力する電流をオン／オフするための信号を受付けた場合、該受付けの前後で他の負荷へ出力する電流を維持する電流維持部を備えることを特徴とする電源装置。
【請求項７】
前記所定の電流を設定する電流設定部を備え、
前記電流維持部は、
前記受付部で一の負荷へ出力する電流をオフするための信号を受付けた場合、前記電流設定部で前記信号の受付け前に設定した電流値より小さい電流値を設定させて前記他の負荷へ出力する電流を維持するように構成してあることを特徴とする請求項６に記載の電源装置。
【請求項８】
請求項１から請求項７までのいずれか１項に記載の電源装置と、該電源装置から電流が出力される光源とを備えることを特徴とする照明装置。
【発明の詳細な説明】
【技術分野】
【０００１】
本発明は、複数の負荷へ電流を供給する電源装置及び該電源装置を備える照明装置に関する。
【背景技術】
【０００２】
近年、ＬＥＤ（発光ダイオード）を光源とする照明装置が様々な用途向けに開発されており、白熱電球や蛍光灯等の従来の光源を用いた照明装置に対する置換えが行われつつある。また、光源を所望の明るさに調整することができる調光機能を備えた照明装置が既に商品化されている。
【０００３】
このような照明装置には、ＬＥＤの明るさが一定に保たれるようにＬＥＤに所要の一定電流を流すべく定電流回路を備えた電源装置が用いられている。また、ＬＥＤの明るさを調整するため、調光信号に基づいてＬＥＤに流れる電流を調整することができる調光機能を備える電源装置もある。
【０００４】
例えば、複数のＬＥＤ負荷それぞれに対して複数の電源回路を設け、各電源回路と各ＬＥＤ負荷との間にＬＥＤ負荷へ供給する電圧・電流をＰＷＭ制御するＰＷＭ制御部を備える照明装置が開示されている（特許文献１参照）。
【０００５】
しかし、特許文献１に示すような照明装置にあっては、ＬＥＤ負荷毎に複数の電源回路を設ける必要があるため、照明装置が高コストになるという問題、あるいは照明装置が大型化するという問題があった。そこで、複数のＬＥＤ負荷に対して電源回路を共通化して低コスト、小型化を図ることが検討されていた。
【０００６】
図１１は従来の照明装置２００の構成の要部を示すブロック図である。照明装置２００は、複数の負荷（ＬＥＤ）に対して共通の電源回路２０１、それぞれのＬＥＤ２０４、２０５へ供給する電圧・電流のオン／オフ時間（例えば、デューティ比）を調整するＰＷＭ制御部２０２、２０３などを備える。
【０００７】
電源回路２０１は、定電流回路を備え、例えば、ＬＥＤ２０４、２０５それぞれの定格電流（平均値）が１Ａである場合、ＬＥＤ２０４、２０５に定格電流を供給すべく出力電流として２Ａの定電流を出力するように制御する。
【０００８】
ＰＷＭ制御部２０２、２０３は、ＰＷＭ制御回路を備え、電源回路２０１から供給される電圧・電流のオン／オフ時間を調整（ＰＷＭ制御）して、ＬＥＤ２０４、２０５へ供給する電流値を調整する。
【先行技術文献】
【特許文献】
【０００９】
【特許文献１】特開２０１０−１２９２１２号公報
【発明の概要】
【発明が解決しようとする課題】
【００１０】
しかし、図１１に示すような従来の照明装置２００にあっては、電源回路２０１に対して２つのＬＥＤ２０４、２０５が並列接続されているため、一方のＬＥＤ２０５を調光した場合、他方のＬＥＤ２０４へ供給される電流が変動し、ＬＥＤ２０４の明るさが変化するという問題がある。なお、同様の問題は、ＰＷＭ制御部の代わりにＬＥＤ２０４、２０５をオン／オフするスイッチ回路を具備する場合にもある。
【００１１】
図１２は従来の照明装置２００の動作状態の一例を示すタイムチャートである。図１２に示すように、当初ＬＥＤ２０４、ＬＥＤ２０５をそれぞれ調光率１００％（全灯）で点灯させていたとする。電源回路２０１の出力電流の設定値は２Ａであるので、それぞれのＬＥＤ２０４、２０５には、波高値１Ａの電流が流れる。
【００１２】
任意の時点で、ＬＥＤ２０５の調光率を１００％から５０％にすると、ＰＷＭ制御部２０３は、ＬＥＤ２０５へ供給する電流のオン時間を５０％、オフ時間を５０％（デューティ比５０％）となるようにＰＷＭ制御を行う。
【００１３】
しかし、電源回路２０１の出力電流の設定値は２Ａであるので、ＬＥＤ２０５へ流れる電流がオフである間では、ＬＥＤ２０４へ流れるが１Ａから２Ａに増加する。このため、ＬＥＤ２０４へ供給される電流の平均値は１Ａから１．５Ａに増加し、ＬＥＤ２０４の明るさが、ＬＥＤ２０５の調光の前後で変動するという問題が生じる。
【００１４】
本発明は斯かる事情に鑑みてなされたものであり、複数の負荷へ電流を出力する場合に、一の負荷へ出力する電流を変化させたときでも他の負荷へ出力する電流の変動を防止することができる電源装置及び該電源装置を備える照明装置を提供することを目的とする。
【課題を解決するための手段】
【００１５】
本発明に係る電源装置は、所定の電流を供給する電流供給部と、該電流供給部と該電流供給部に対して並列に接続される複数の負荷それぞれとの間に設けられ、該電流供給部からの電流をそれぞれの負荷へ出力する複数のパルス幅変調部と、任意の負荷へ出力する電流をパルス幅変調するための信号を受付ける受付部とを備える電源装置において、前記受付部で一の負荷へ出力する電流をパルス幅変調するための信号を受付けた場合、該受付けの前後で他の負荷へ出力する電流を維持する電流維持部を備えることを特徴とする。
【００１６】
本発明にあっては、受付部で一の負荷へ出力する電流をパルス幅変調するための信号を受付けた場合、受付けの前後で他の負荷へ出力する電流を維持する電流維持部を備える。任意の負荷へ出力する電流をパルス幅変調するための信号は、例えば、負荷が光源である場合には、光源の明るさを調光するための信号である。電流維持部が、一の負荷へ出力する電流がパルス幅変調により変更された場合でも他の負荷へ出力する電流を維持するので、電流供給部から複数の負荷へ電流を供給する場合に、一の負荷へ出力する電流を変化させたときでも他の負荷へ出力する電流の変動を防止することができる。
【００１７】
本発明に係る電源装置は、前記受付部で一の負荷へ出力する電流をパルス幅変調するための信号を受付けた場合、該一の負荷へ出力する電流をパルス幅変調するパルス幅変調部は、出力する電流のオン／オフ時間を調整するようにしてあり、前記電流維持部は、各パルス幅変調部でそれぞれの負荷へ出力する電流のオン時間が重ならないように調整させて前記他の負荷へ出力する電流を維持するように構成してあることを特徴とする。
【００１８】
本発明にあっては、受付部で一の負荷へ出力する電流をパルス幅変調するための信号を受付けた場合、当該一の負荷へ出力する電流をパルス幅変調するパルス幅変調部は、電流のオン／オフ時間を調整する。すなわち、一のパルス幅変調部は、一の負荷へ出力する電流をパルス幅変調するため電流のオン／オフ時間を調整する。そして、電流維持部は、各パルス幅変調部でそれぞれの負荷へ出力する電流のオン時間が重ならないように調整して他の負荷へ出力する電流を維持する。
【００１９】
例えば、電流供給部が２つの負荷１、２へ電流を供給する場合、負荷１、２の定格電流をそれぞれ１Ａとし、電流供給部が出力する電流を２Ａに設定しているとする。そして、負荷１には、波高値が２Ａ、電流のオン時間が５０％、オフ時間が５０％で調整され、平均値が１Ａの電流（定格電流）が出力されているとし、負荷２には、波高値が２Ａ、電流のオン時間が２５％、オフ時間が７５％で調整され、平均値が０．５Ａ（定格電流の５０％）の電流が出力されているとする。この場合、負荷１、２それぞれに対して出力される電流のオン時間が重ならないように、一方の負荷の電流がオンである場合には他方の負荷の電流がオフとなるようにデューティ比が調整される。
【００２０】
そして、例えば、負荷１の電流を変化させるため（例えば、負荷が光源である場合には、調光率を変化させるため）、波高値が２Ａ、電流のオン時間が２５％、オフ時間が７５％で調整され、平均値が１Ａから０．５Ａの電流（定格電流の５０％）になったとする。この場合、負荷１、２それぞれに対して出力される電流のオン時間が重ならないように、例えば、負荷２には、波高値が２Ａ、電流のオン時間が２５％、オフ時間が７５％で調整され、平均値が０．５Ａ（定格電流の５０％）の電流を出力するように維持する。各パルス幅変調部が調整する電流のオン時間が重ならないようにすることにより、一の負荷へ出力する電流を所望の値に変化させた場合でも、他の負荷へ出力する電流の変動を防止することができる。
【００２１】
本発明に係る電源装置は、前記所定の電流を設定する電流設定部を備え、前記受付部で一の負荷へ出力する電流をパルス幅変調するための信号を受付けた場合、該一の負荷へ出力する電流をパルス幅変調するパルス幅変調部は、出力する電流のオン／オフ時間を調整するようにしてあり、前記電流維持部は、各パルス幅変調部で調整するオン時間が重なる時間帯で前記電流設定部が設定する電流値を大きくして前記他の負荷へ出力する電流を維持するように構成してあることを特徴とする。
【００２２】
本発明にあっては、所定の電流を設定する電流設定部を備える。例えば、電流供給部が供給する電流を２Ａ、１Ａなど変化させることができる。受付部で一の負荷へ出力する電流をパルス幅変調するための信号を受付けた場合、当該一の負荷へ出力する電流のオン／オフ時間を調整する一のパルス幅変調部は、電流のオン／オフ時間を調整する。すなわち、一のパルス幅変調部は、一の負荷へ出力する電流のオン／オフ時間を調整する。そして、電流維持部は、各パルス幅変調部で調整するオン時間が重なる時間帯で、電流設定部が設定する電流値を大きくして他の負荷へ出力する電流を維持する。
【００２３】
例えば、電流供給部が２つの負荷１、２へ電流を供給する場合、負荷１、２の定格電流をそれぞれ１Ａとし、電流供給部が供給する電流を２Ａに設定しているとする。そして、負荷１、２には、それぞれ波高値が１Ａ、電流のオン時間が１００％で調整され、平均値が１Ａの電流（定格電流）が出力されているとする。この場合、電流供給部は、各パルス幅変調部で調整するオン時間が重なる時間帯で、所定の電流の設定値を２Ａに設定する。
【００２４】
そして、例えば、負荷１の電流を変化させるため（例えば、負荷が光源である場合には、調光率を変化させるため）、波高値が１Ａ、電流のオン時間が５０％、オフ時間が５０％で調整され、平均値が１Ａから０．５Ａの電流（定格電流の５０％）になったとする。この場合、負荷１、２それぞれに対して出力される電流のオン時間が重なる時間帯で、電流設定部で設定する電流値を大きくする。例えば、電流のオン時間が重なる場合には、所定の電流の設定値を２Ａとし、電流のオン時間が重ならない場合には、所定の電流の設定値を１Ａとする。そして、負荷２には、波高値が１Ａ、電流のオン時間が１００％で調整され、平均値が１Ａの電流（定格電流）を出力するように維持する。各パスル幅変調部で調整するオン時間が重なる時間帯で、電流設定部で設定する電流値を大きくすることにより、一の負荷へ出力する電流を所望の値に変化させた場合でも、他の負荷へ出力する電流の変動を防止することができる。
【００２５】
本発明に係る電源装置は、前記電流維持部は、前記受付部で一の負荷へ出力する電流をパルス幅変調するための信号を受付けた場合、該一の負荷へ出力する電流をパルス幅変調するパルス幅変調部以外の他のパルス幅変調部で電流のオン／オフ時間を調整させるように構成してあることを特徴とする。
【００２６】
本発明にあっては、電流維持部は、受付部で一の負荷へ出力する電流をパルス幅変調するための信号を受付けた場合、一のパルス幅変調部に加えて、他のパルス幅変調部も電流のオン／オフ時間を調整する。例えば、電流供給部が２つの負荷１、２へ電流を供給する場合、負荷１、２の定格電流をそれぞれ１Ａとし、電流供給部が供給する電流を２Ａに設定しているとする。そして、負荷１、２には、波高値が１Ａ、電流のオン時間が１００％で調整され、平均値が１Ａの電流（定格電流）が出力されているとする。
【００２７】
そして、例えば、負荷１の電流を変化させるため（例えば、負荷が光源である場合には、調光率を変化させるため）、波高値が２Ａ、電流のオン時間が２５％、オフ時間が７５％で調整され、平均値が１Ａから０．５Ａの電流（定格電流の５０％）になったとする。この場合、負荷１、２それぞれに対して出力される電流のオン時間が重ならないように、負荷２に対するデューティ比を調整する。例えば、負荷２には、波高値が２Ａ、電流のオン時間が５０％、オフ時間が５０％で調整され、平均値が１Ａの電流（定格電流）を出力するように維持する。各パルス幅変調部が調整するオン時間が重ならないようにすることにより、一の負荷へ出力する電流を所望の値に変化させた場合でも、他の負荷へ出力する電流の変動を防止することができる。
【００２８】
また、電流供給部で設定する電流値を変更してもよい。例えば、電流供給部が２つの負荷１、２へ電流を供給する場合、負荷１、２の定格電流をそれぞれ１Ａとし、電流供給部が供給する電流を２Ａに設定しているとする。そして、負荷１には、波高値が２Ａ、電流のオン時間が２５％、オフ時間が７５％で調整され、平均値が０．５Ａの電流が出力されているとし、負荷２には、波高値が２Ａ、電流のオン時間が５０％、オフ時間が５０％で調整され、平均値が１Ａの電流が出力されているとする。この場合、電流供給部は、所定の電流の設定値を２Ａに設定していたとする。
【００２９】
そして、例えば、負荷１の電流を変化させるため（例えば、負荷が光源である場合には、調光率を変化させるため）、波高値が１Ａ、電流のオン時間が７５％、オフ時間が２５％で調整され、平均値が０．５Ａから０．７５Ａの電流（定格電流の７５％）になったとする。この場合、負荷１、２それぞれに対して出力される電流のオン時間が重なる時間帯で、電流設定部で設定する電流値を大きくする。例えば、電流のオン時間が重なる場合には、所定の電流の設定値を２Ａとし、電流のオン時間が重ならない場合には、所定の電流の設定値を１Ａとする。そして、負荷２には、波高値が１Ａ、電流のオン時間が１００％で調整され、平均値が１Ａの電流（定格電流）を出力するように維持する。各パルス幅変調部で調整するオン時間が重なる時間帯で、電流設定部で設定する電流値を大きくすることにより、一の負荷へ出力する電流を所望の値に変化させた場合でも、他の負荷へ出力する電流の変動を防止することができる。
【００３０】
本発明に係る電源装置は、前記受付部で受付ける信号と関連付けて、各パルス幅変調部で出力する電流のオン／オフ時間を予め記憶する記憶部を備え、前記電流維持部は、前記受付部で受け付けた信号に対応して、各パルス幅変調部で出力する電流のオン／オフ時間を調整させるようにしてあることを特徴とする。
【００３１】
本発明にあっては、受付部で受付ける信号と関連付けて、各パルス幅変調部で出力する電流のオン／オフ時間を予め記憶する記憶部を備える。電流維持部は、受付部で受け付けた信号に対応して、各パルス幅変調部で出力する電流のオン／オフ時間を調整させる。これにより、一の負荷へ出力する電流を所望の値に変化させた場合でも、他の負荷へ出力する電流の変動を防止することができる。
【００３２】
本発明に係る電源装置は、所定の電流を供給する電流供給部と、該電流供給部と該電流供給部に対して並列に接続される複数の負荷それぞれとの間に設けられ、該電流供給部からの電流をオン／オフしてそれぞれの負荷へ電流を出力する複数のスイッチ部と、任意の負荷へ出力する電流をオン／オフするための信号を受付ける受付部とを備える電源装置において、前記受付部で一の負荷へ出力する電流をオン／オフするための信号を受付けた場合、該受付けの前後で他の負荷へ出力する電流を維持する電流維持部とを備えることを特徴とする。
【００３３】
本発明にあっては、受付部で一の負荷へ出力する電流をオフするための信号を受付けた場合、受付けの前後で他の負荷へ出力する電流を維持する電流維持部を備える。電流維持部が、一の負荷へ出力する電流をオフにした場合でも他の負荷へ出力する電流を維持するので、電流供給部から複数の負荷へ電流を供給する場合に、一の負荷へ出力する電流を変化させたときでも他の負荷へ出力する電流の変動を防止することができる。
【００３４】
本発明に係る電源装置は、前記所定の電流を設定する電流設定部を備え、前記電流維持部は、前記受付部で一の負荷へ出力する電流をオフするための信号を受付けた場合、前記電流設定部で前記信号の受付け前に設定した電流値より小さい電流値を設定させて前記他の負荷へ出力する電流を維持するように構成してあることを特徴とする。
【００３５】
本発明にあっては、所定の電流を設定する電流設定部を備える。例えば、電流供給部が供給する電流を２Ａ、１Ａなど変化させることができる。電流維持部は、受付部で一の負荷へ出力する電流をオフするための信号を受付けた場合、電流設定部で信号の受付け前に設定した電流値より小さい電流値を設定させて他の負荷へ出力する電流を維持する。
【００３６】
例えば、電流供給部が２つの負荷１、２へ電流を供給する場合、負荷１、２の定格電流をそれぞれ１Ａとし、電流供給部が供給する電流を２Ａに設定しているとする。負荷１へ出力する電流をオフにする場合、電流供給部の電流設定値を２Ａから１Ａに変更するとともに、負荷１へ出力する電流をオフにする。負荷２へ出力される電流は、電流設定値が１Ａであるので、負荷１へ出力する電流をオフにする前後で、変化なく１Ａを維持することができる。
【００３７】
本発明に係る照明装置は、前述の発明のいずれか１つに係る電源装置と、該電源装置から電流が出力される光源とを備えることを特徴とする。
【００３８】
本発明にあっては、電源装置は、複数の光源へ電流を出力する場合に、一の光源へ出力する電流を変化させたときでも他の光源へ出力する電流の変動を防止することができるので、一の光源の調光に応じて他の光源の明るさが変化することを防止することができる。
【発明の効果】
【００３９】
本発明によれば、複数の負荷へ電流を供給する場合に、一の負荷へ出力する電流を変化させたときでも他の負荷へ出力する電流の変動を防止することができる。
【図面の簡単な説明】
【００４０】
【図１】実施の形態１の電源装置を備える照明装置の構成例を示すブロック図である。
【図２】実施の形態１の電源装置のＬＥＤ負荷の調光率に対する制御パラメータの一例を示す説明図である。
【図３】実施の形態１の電源装置による電流制御の一例を示すタイムチャートである。
【図４】実施の形態１の電源装置による電流制御の他の例を示すタイムチャートである。
【図５】実施の形態２の電源装置を備える照明装置の構成例を示すブロック図である。
【図６】実施の形態２の電源装置による電流設定値の一例を示す説明図である。
【図７】実施の形態２の電源装置のＬＥＤ負荷の調光率に対する制御パラメータの一例を示す説明図である。
【図８】実施の形態２の電源装置による電流制御の一例を示すタイムチャートである。
【図９】実施の形態２の電源装置による電流制御の他の例を示すタイムチャートである。
【図１０】実施の形態３の電源装置を備える照明装置の構成例を示すブロック図である。
【図１１】従来の照明装置の構成の要部を示すブロック図である。
【図１２】従来の照明装置の動作状態の一例を示すタイムチャートである。
【発明を実施するための形態】
【００４１】
（実施の形態１）
以下、本発明をその実施の形態を示す図面に基づいて説明する。図１は実施の形態１の電源装置１００を備える照明装置の構成例を示すブロック図である。実施の形態１の照明装置は、電源装置１００、光源負荷としてのＬＥＤ負荷１、２などを備える。なお、以下では、電源装置１００の負荷としてＬＥＤ負荷（光源）を備える照明装置について説明するが、負荷は光源に限定されるものではなく、また光源もＬＥＤに限定されるものではない。
【００４２】
電源装置１００は、電流供給部としての定電流回路１０、定電流回路１０に対して並列に接続されるＬＥＤ負荷１、２へ出力する電流のオン／オフ時間を調整するパルス幅変調部としてのＰＷＭ回路２０、３０、電源装置１００全体を制御する制御部５０、ＬＥＤ負荷１、２の明るさを調節するための調光用信号をリモコン（不図示）から受信する受信部４０などを備える。なお、調光用信号は、リモコンから受信する構成に限定されるものではなく、照明装置本体に備えられた操作スイッチ、あるいは照明装置とは別に設けられた調光器などから取得する構成でもよい。
【００４３】
ＬＥＤ負荷１、２は、例えば、基板上に１又は複数のＬＥＤモジュールを実装したものである。ＬＥＤ負荷１のＬＥＤモジュールは、お互いに発光色が異なるもの（例えば、電球色と昼白色など）でもよく、あるいは同色のものでもよい。ＬＥＤ負荷２のＬＥＤモジュールも同様である。また、ＬＥＤ負荷１、２とで発光色を異なるようにしてもよい。以下の説明では、簡便のため、ＬＥＤ負荷１、２の定格電流（調光率１００％での電流の平均値）を１Ａとするが、これに限定されるものではない。
【００４４】
定電流回路１０は、整流回路を備え、入力電圧（例えば、ＡＣ１００Ｖ、ＡＣ２００Ｖなど）を直流電圧に変換する。また、定電流回路１０は、出力電流が一定になるように制御する出力電流制御回路１１を備える。ＬＥＤ負荷１、２の定格電流が、それぞれ１Ａであるので、出力電流制御回路１１は、並列接続されたそれぞれのＬＥＤ負荷１、２に定格電流１Ａを流すためには、両方の電流の合計である２Ａの定電流を供給するように制御する。なお、入力電圧は交流電圧に限定されるものではなく、直流電圧であってもよい。
【００４５】
ＰＷＭ回路２０は、ＬＥＤ負荷１へ出力する電流をオン／オフするＦＥＴなどのスイッチング素子、パルス幅変調を行うためのＰＷＭ（Pulse Width Modulation）制御回路などを備え、ＦＥＴのゲートにパルス幅変調したパルス波形を印加することにより、ＦＥＴに流れる電流のオン時間とオフ時間とを調整して、ＬＥＤ負荷１へ出力する電流のオン時間とオフ時間とを調整する。ＰＷＭ回路３０も同様の構成を備える。
【００４６】
パルス波形の変調周波数は、例えば、１００Ｈｚ〜２０ｋＨｚ程度とすることができるが、これに限定するものではない。電流のオン時間とオフ時間の合計が１周期であり、１周期に対するオン時間の割合をデューティ比と称する。オン時間とオフ時間を調整することにより、例えば、ＬＥＤ負荷１、２の調光率を０％（消灯）から１００％（全灯）まで調整することができる。
【００４７】
受信部４０は、ＬＥＤ負荷１又はＬＥＤ負荷２へ出力する電流をパルス幅変調して当該電流の平均値（電流の積算値、すなわちパルス幅変調の１周期あたりの電流の積算値）を変更するための信号を受付ける受付部としての機能を有する。受信部４０は、例えば、無線又は有線により、ＬＥＤ負荷１、２に対する調光用の信号を受信する。受信部４０は、受信した調光用の信号を制御部５０へ出力する。
【００４８】
制御部５０は、一の負荷へ出力する電流をパルス幅変調するための信号を受付けた場合、当該受付けの前後で他の負荷へ出力する電流（電流の平均値）を維持する電流維持部としての機能を有する。
【００４９】
すなわち、制御部５０は、例えば、ＬＥＤ負荷１へ出力する電流（平均値）を変更するための調光用の信号を受信部４０で受信した場合、ＬＥＤ負荷１へ出力する電流が、受信部４０で受信した調光用の信号に応じた電流となるようにＰＷＭ回路２０を制御するとともに、ＰＷＭ回路３０を制御して、ＬＥＤ負荷２へ出力する電流の平均値が、受信部４０で信号を受信する前後で変動しないようにする。
【００５０】
制御部５０が、ＬＥＤ負荷１へ出力する電流（平均値）に変更があった場合でもＬＥＤ負荷２へ出力する電流の平均値を維持するので、定電流回路１０から複数の負荷へ電流を供給する場合に、一の負荷へ出力する電流を変化させたときでも他の負荷へ出力する電流の平均値の変動を防止することができる。
【００５１】
また、制御部５０は、受信部４０でＬＥＤ負荷１へ出力する電流（平均値）を変更するための信号（調光用の信号）を受信した場合、ＰＷＭ回路２０を制御して、ＰＷＭ回路２０が、受信した信号に応じた電流がＬＥＤ負荷１へ出力されるようにする。同時に、制御部５０は、調光用の信号を受信する前後において、ＬＥＤ負荷２へ出力されている電流（平均値）が変化しないようにＰＷＭ回路３０を制御する。
【００５２】
より具体的には、制御部５０は、ＰＷＭ回路２０、３０それぞれがＬＥＤ負荷１、２へ出力する電流のオン時間が重ならないようにＰＷＭ回路２０、３０を制御する。すなわち、制御部５０は、ＬＥＤ負荷１、２それぞれの調光率に応じて、ＰＷＭ回路２０、３０それぞれがＦＥＴのゲートへ出力するパルス波形のデューティ比を制御パラメータとして定めるとともに、ＰＷＭ回路２０、３０それぞれのＦＥＴが同時にオンとならないようにパルス波形のタイミングを調整する。
【００５３】
すなわち、制御部５０は、受信部４０で受付ける信号と関連付けて、ＰＷＭ回路２０、３０で出力する電流のオン／オフ時間を含む制御パラメータを予め記憶する記憶部を備える。制御部５０は、受信部４０で受け付けた信号に対応して、ＰＷＭ回路２０、３０で出力する電流のオン／オフ時間を調整させる。これにより、一の負荷へ出力する電流（平均値）を所望の値に変化させた場合でも、他の負荷へ出力する電流の平均値の変動を防止することができる。
【００５４】
図２は実施の形態１の電源装置１００のＬＥＤ負荷１、２の調光率に対する制御パラメータの一例を示す説明図である。図２の横方向の欄には、ＬＥＤ負荷１の調光率を示し、縦方向の欄には、ＬＥＤ負荷２の調光率を示す。図２では、調光率が２５％、５０％、７５％、１００％（全灯）の例を示すが、調光率は一例であって、これに限定されるものではない。例えば、調光率を、０〜１００％の間で５％毎に調光率を変化できるようにしてもよく、１０％毎に調光率を変化できるようにしてもよく、あるいは連続的に変化させるようにしてもよい。
【００５５】
ＬＥＤ負荷１、２の調光率に対応する各欄は、上段の３つの数値が、左から順番にＬＥＤ負荷１へ出力される電流の波高値、オン／オフのデューティ比、ＬＥＤ負荷１へ出力される電流の平均値（１周期当たりの積算値）を示し、下段の３つの数値が、左から順番にＬＥＤ負荷２へ出力される電流の波高値、オン／オフのデューティ比、ＬＥＤ負荷２へ出力される電流の平均値を示す。
【００５６】
例えば、ＬＥＤ負荷１の調光率が１００％であってＬＥＤ負荷２の調光率が２５％である場合、ＬＥＤ負荷１へ出力される電流の波高値は２Ａ、電流のオン／オフのデューティ比は５０％、ＬＥＤ負荷１へ出力される電流の平均値は１Ａ（２Ａ×０．５）である。また、ＬＥＤ負荷２へ出力される電流の波高値は２Ａ、電流のオン／オフのデューティ比は１２．５％、ＬＥＤ負荷２へ出力される電流の平均値は０．２５Ａ（２Ａ×０．１２５）である。他の調光率についても同様である。
【００５７】
なお、制御部５０は、図２に例示するような制御パラメータを予め記憶しておいて、受信した調光用の信号に応じて、記憶した制御パラメータを選択してＰＷＭ回路２０、３０を制御するようにしてもよく、あるいは予め制御パラメータを記憶しておくのではなく、ＰＷＭ回路２０、３０を制御するためのパラメータを調光用の信号の受信の都度算出するようにしてもよい。
【００５８】
次に、実施の形態１の電源装置１００の動作について説明する。図３は実施の形態１の電源装置１００による電流制御の一例を示すタイムチャートである。図３Ａに示すように、ＬＥＤ負荷１には、波高値が２Ａ、電流のオン時間が５０％、オフ時間が５０％で調整され、平均値が１Ａの電流（定格電流）が出力されているとし、ＬＥＤ負荷２には、波高値が２Ａ、電流のオン時間が２５％、オフ時間が７５％で調整され、平均値が０．５Ａ（定格電流の５０％）の電流が出力されているとする。すなわち、図３Ａに示す状態では、ＬＥＤ負荷１の調光率は１００％であり、ＬＥＤ負荷２の調光率は５０％である。
【００５９】
そして、ＬＥＤ負荷１の調光率を１００％から５０％に変更する調光用の信号を受信した場合、制御部５０は、ＬＥＤ負荷１へ出力する電流の平均値を１Ａから０．５Ａに変更するため、図３Ｂに示すように、ＬＥＤ負荷１には、波高値が２Ａ、電流のオン時間を２５％、オフ時間を７５％に調整し、電流の平均値を１Ａから０．５Ａ（定格電流の５０％）にする。
【００６０】
この場合、ＬＥＤ負荷１、２それぞれに対して出力される電流のオン時間が重ならないように、制御部５０は、例えば、ＬＥＤ負荷２には、波高値が２Ａ、電流のオン時間を２５％、オフ時間を７５％に調整し、平均値が０．５Ａ（定格電流の５０％）の電流を出力するように維持する。
【００６１】
なお、電流のオン時間が重ならないようにＰＷＭ回路２０、３０のパルス波形のデューティ比を調整するには、一方のＰＷＭ回路のパルス波形の立上り時点（電流のオン開始時点）と、他方のＰＷＭ回路の電流のオフ開始時点とを同期させればよい。
【００６２】
ＰＷＭ回路２０、３０が調整する電流のオン時間が重ならないようにすることにより、一の負荷へ出力する電流（平均値）を所望の値に変化させた場合でも、他の負荷へ出力する電流の平均値の変動を防止することができる。
【００６３】
図４は実施の形態１の電源装置１００による電流制御の他の例を示すタイムチャートである。図４Ａに示すように、ＬＥＤ負荷１、２には、波高値が１Ａ、電流のオン時間が１００％で調整され、平均値が１Ａの電流（定格電流）が出力されているとする。すなわち、図４Ａに示す状態では、ＬＥＤ負荷１、２の調光率は１００％である。
【００６４】
そして、ＬＥＤ負荷１の調光率を１００％から５０％に変更する調光用の信号を受信した場合、制御部５０は、ＬＥＤ負荷１の電流を変化させるため、波高値が２Ａ、電流のオン時間を２５％、オフ時間を７５％に調整し、電流の平均値を１Ａから０．５Ａ（定格電流の５０％）にする。
【００６５】
この場合、制御部５０は、ＬＥＤ負荷１、２それぞれに対して出力される電流のオン時間が重ならないように、ＬＥＤ負荷２に対するデューティ比を調整する。例えば、制御部５０は、ＬＥＤ負荷２には、波高値が２Ａ、電流のオン時間を５０％、オフ時間を５０％に調整し、平均値が１Ａの電流（定格電流）を出力するように維持する。ＰＷＭ回路２０、３０が調整する電流のオン時間が重ならないようにすることにより、一の負荷へ出力する電流（平均値）を所望の値に変化させた場合でも、他の負荷へ出力する電流の平均値の変動を防止することができる。
【００６６】
なお、図３と図４の例は、いずれもＰＷＭ回路２０、３０が調整する電流のオン時間が重ならないようにする点では共通するが、図３の例では、ＬＥＤ負荷２へ出力する電流のオン／オフのデューティ比を変化させる必要がないが、図４の例ではＬＥＤ負荷２へ出力する電流のオン／オフのデューティ比を変化させる必要がある。
【００６７】
（実施の形態２）
図５は実施の形態２の電源装置１１０を備える照明装置の構成例を示すブロック図である。実施の形態１との違いは、所定の電流を設定する電流設定部１２を備える点である。実施の形態２の電源装置１１０では、定電流回路１０が供給する電流値を可変することができ、電流設定部１２で設定した電流値となるように出力電流制御回路１１は電流を制御する。電流設定部１２は、制御部５０の制御の下、例えば、定電流回路１１が供給する電流を２Ａ、１Ａなど変化させることができる。
【００６８】
図６は実施の形態２の電源装置１１０による電流設定値の一例を示す説明図である。制御部５０は、ＰＷＭ回路２０、３０で調整する電流のオン時間が重なる場合と重ならない場合とで、電流設定部１２で設定する電流を異ならせる。より具体的には、制御部５０は、ＰＷＭ回路２０、３０で調整する電流のオン時間が重なる時間帯で電流設定部１２が設定する電流を大きくする。
【００６９】
例えば、図６に示すように、ＬＥＤ負荷１、２へ出力する電流の両方がオンとなる場合、電流設定値を２Ａとする（電流値を大きくする）。また、ＬＥＤ負荷１、２へ出力する電流の一方がオンとなり、他方がオフとなる場合、電流設定値を１Ａとする（電流値を小さくする）。
【００７０】
図７は実施の形態２の電源装置１１０のＬＥＤ負荷１、２の調光率に対する制御パラメータの一例を示す説明図である。図７の横方向の欄には、ＬＥＤ負荷１の調光率を示し、縦方向の欄には、ＬＥＤ負荷２の調光率を示す。図７では、調光率が２５％、５０％、７５％、１００％（全灯）の例を示すが、調光率は一例であって、これに限定されるものではない。例えば、調光率を、０〜１００％の間で５％毎に調光率を変化できるようにしてもよく、１０％毎に調光率を変化できるようにしてもよく、あるいは連続的に変化させるようにしてもよい。
【００７１】
ＬＥＤ負荷１、２の調光率に対応する各欄は、図２の場合と同様に、上段の３つの数値が、左から順番にＬＥＤ負荷１へ出力される電流の波高値、オン／オフのデューティ比、ＬＥＤ負荷１へ出力される電流の平均値（パルス幅の１周期当たりの積算値）を示し、下段の３つの数値が、左から順番にＬＥＤ負荷２へ出力される電流の波高値、オン／オフのデューティ比、ＬＥＤ負荷２へ出力される電流の平均値を示す。
【００７２】
例えば、ＬＥＤ負荷１の調光率が１００％であってＬＥＤ負荷２の調光率が２５％である場合、ＬＥＤ負荷１へ出力される電流の波高値は１Ａ、電流のオン／オフのデューティ比は１００％、ＬＥＤ負荷１へ出力される電流の平均値は１Ａである。また、ＬＥＤ負荷２へ出力される電流の波高値は１Ａ、電流のオン／オフのデューティ比は２５％、ＬＥＤ負荷２へ出力される電流の平均値は０．２５Ａ（１Ａ×０．２５）である。他の調光率についても同様である。
【００７３】
図８は実施の形態２の電源装置１１０による電流制御の一例を示すタイムチャートである。図８Ａに示すように、ＬＥＤ負荷１、２には、波高値が１Ａ、電流のオン時間が１００％で調整され、平均値が１Ａの電流（定格電流）が出力されている。すなわち、図８Ａに示す状態では、ＬＥＤ負荷１、２の調光率は１００％であり、電流設定値は２Ａである。
【００７４】
そして、ＬＥＤ負荷１の調光率を１００％から５０％に変更する調光用の信号を受信した場合、制御部５０は、ＬＥＤ負荷１へ出力する電流の平均値を１Ａから０．５Ａに変更するため、図８Ｂに示すように、波高値が１Ａ、電流のオン時間を５０％、オフ時間を５０％に調整し、電流の平均値を１Ａから０．５Ａ（定格電流の５０％）にする。
【００７５】
この場合、制御部５０は、ＬＥＤ負荷１、２それぞれに対して出力される電流のオン時間が重なる時間帯と重ならない時間帯とで、電流設定部１２で設定する電流を異ならせる。例えば、制御部５０は、電流のオン時間が重なる図８Ｂの符号ｂで示す時間帯では、出力電流の設定値を２Ａとし（設定する電流値を大きくし）、電流のオン時間が重ならない図８Ｂの符号ａで示す時間帯では、出力電流の設定値を１Ａとする。
【００７６】
そして、図８Ｂに示すように、制御部５０は、ＬＥＤ負荷２には、波高値が１Ａ、電流のオン時間を１００％に調整し、平均値が１Ａの電流（定格電流）を出力するように維持する。ＰＷＭ回路２０、３０で調整する電流のオン時間が重なる時間帯で、電流設定部１２で設定する電流値を大きくすることにより、一の負荷へ出力する電流を所望の値に変化させた場合でも、他の負荷へ出力する電流の変動を防止することができる。
【００７７】
図９は実施の形態２の電源装置１１０による電流制御の他の例を示すタイムチャートである。図９Ａに示すように、ＬＥＤ負荷１には、波高値が２Ａ、電流のオン時間が２５％、オフ時間が７５％で調整され、平均値が０．５Ａの電流が出力されているとし、ＬＥＤ負荷２には、波高値が２Ａ、電流のオン時間が５０％、オフ時間が５０％で調整され、平均値が１Ａの電流が出力されているとする。すなわち、図９Ａに示す状態では、ＬＥＤ負荷１の調光率は５０％であり、ＬＥＤ負荷２の調光率は１００％であり、電流設定値は２Ａである。
【００７８】
そして、ＬＥＤ負荷１の調光率を５０％から７５％に変更する調光用の信号を受信した場合、制御部５０は、ＬＥＤ負荷１の電流を変化させるため、波高値が１Ａ、電流のオン時間を７５％、オフ時間を２５％に調整し、電流の平均値を０．５Ａから０．７５Ａ（定格電流の７５％）にする。
【００７９】
この場合、制御部５０は、ＬＥＤ負荷１、２それぞれに対して出力される電流のオン時間が重なる時間帯で、電流設定部１２で設定する電流値を大きくする。例えば、電流のオン時間が重なる図９Ｂの符号ｂで示す時間帯では、出力電流の設定値を２Ａとし、電流のオン時間が重ならない図９Ｂの符号ａで示す時間帯では、出力電流の設定値を１Ａとする。
【００８０】
そして、制御部５０は、ＬＥＤ負荷２には、波高値が１Ａ、電流のオン時間を１００％に調整し、平均値が１Ａの電流（定格電流）を出力するように維持する。ＰＷＭ回路２０、３０で調整する電流のオン時間が重なる時間帯で、電流設定部１２で設定する電流値を大きくすることにより、一の負荷へ出力する電流（平均値）を所望の値に変化させた場合でも、他の負荷へ出力する電流の平均値の変動を防止することができる。
【００８１】
なお、図８と図９の例は、いずれもＰＷＭ回路２０、３０が調整する電流のオン時間が重なる時間帯と重ならない時間帯とで、電流設定部１２で設定する電流を異ならせる点で共通するが、図８の例では、ＬＥＤ負荷２へ出力する電流のオン／オフのデューティ比を変化させる必要がないが、図９の例ではＬＥＤ負荷２へ出力する電流のオン／オフのデューティ比を変化させる必要がある。
【００８２】
（実施の形態３）
図１０は実施の形態３の電源装置１２０を備える照明装置の構成例を示すブロック図である。実施の形態２との違いは、ＰＷＭ回路２０、３０に代えて、スイッチ回路６１、６２を備える点である。すなわち、実施の形態３の電源装置１２０は、定電流回路１０に対して並列に接続されるＬＥＤ負荷１、２へ出力する電流のオン／オフするスイッチ回路６１、６２を備え、複数のＬＥＤ負荷を調光させるものではなく、個別にオン／オフすることができる。
【００８３】
受信部４０は、ＬＥＤ負荷１、２へ出力する電流をオフするための信号を受付ける受付部としての機能を有する。
【００８４】
制御部５０は、一の負荷へ出力する電流をオフするための信号を受付けた場合、当該受付けの前後で他の負荷へ出力する電流の平均値を維持する電流維持部としての機能を有する。
【００８５】
すなわち、制御部５０は、例えば、ＬＥＤ負荷１へ出力する電流（平均値）をオフにするための信号を受信部４０で受信した場合、スイッチ回路６１を制御してＬＥＤ負荷１への電流出力を停止するとともに、電流設定部１２で設定する電流値を、信号を受信する前に設定していた値より小さい値に変更することにより、ＬＥＤ負荷２へ出力する電流の平均値が変動しないようにする。
【００８６】
制御部５０が、一のＬＥＤ負荷へ出力する電流をオフにした場合でも他のＬＥＤ負荷へ出力する電流の平均値を維持するので、複数のＬＥＤ負荷へ電流を出力する場合に、一のＬＥＤ負荷へ出力する電流を変化させたときでも他のＬＥＤ負荷へ出力する電流の平均値の変動を防止することができる。
【００８７】
より具体的には、ＬＥＤ負荷１、２の定格電流をそれぞれ１Ａとし、定電流回路１０が供給する電流を２Ａに設定しているとする。ＬＥＤ負荷１へ出力する電流をオフにする場合、電流設定値を２Ａから１Ａに変更するとともに、ＬＥＤ負荷１へ出力する電流をオフにする。ＬＥＤ負荷２へ出力される電流は、電流設定値が１Ａであるので、ＬＥＤ負荷１へ出力する電流をオフにする前後で、変化なく１Ａを維持することができる。
【００８８】
上述の実施の形態によれば、一つの定電流回路で複数のＬＥＤ負荷を個別にオン／オフ制御する場合、あるいは複数のＬＥＤ負荷を個別に調光制御する場合に、オン／オフ制御又は調光制御の対象となっていない他のＬＥＤ負荷の明るさが予期せずに変化することを防止することができる。
【００８９】
上述の実施の形態のように、複数のＬＥＤ負荷を１つの定電流回路に対して並列に接続した場合、定電流回路（電源回路）の出力電圧を下げることができる。例えば、１つのＬＥＤ負荷には、それぞれ８ないし１０個の直列接続されたＬＥＤを備えるので、１つのＬＥＤ負荷に対しては、約２５ないし３３Ｖの電圧が印加される。したがって、ＬＥＤ負荷が並列に接続された場合には、電源回路の出力電圧は、約２５ないし３３Ｖであればよいが、仮にＬＥＤ負荷を直列に接続した場合には、電源回路の出力電圧を約５０ないし６６Ｖに上げる必要がある。電源回路の出力電圧が高くなれば、安全性、信頼性（例えば、耐結露、マイグレーションなど）を考慮して基板設計をする必要があり、また、電安法上の空間距離の確保も必要になり、これらの対策を講じなければならない。しかし、本実施の形態のように複数のＬＥＤ負荷を並列に接続する構成とした場合には、上述の対策は不要となる。
【００９０】
また、複数のＬＥＤ負荷を１つの定電流回路に対して並列に接続した場合、ＬＥＤ負荷内の１個のＬＥＤがオープン故障をしたときでも、全不灯という事態を避けることができる。すなわち、複数のＬＥＤ負荷を１つの定電流回路に対して直列に接続した場合、複数のＬＥＤ負荷のいずれか１個でもＬＥＤがオープン故障となると、各ＬＥＤ負荷には電流が流れず、全ＬＥＤが消灯してしまう。しかし、複数のＬＥＤ負荷が１つの定電流回路に対して並列に接続されている場合、ＬＥＤ負荷の１個のＬＥＤがオープン故障となっても、当該ＬＥＤ負荷を除く他のＬＥＤ負荷には電流が流れるので、一部のＬＥＤ負荷は点灯し、全不灯という事態を避けることができる。
【００９１】
上述の実施の形態では、ＬＥＤ負荷１、２が点灯している状態で一方のＬＥＤ負荷の調光率を変化させた場合に他方のＬＥＤ負荷へ出力する電流、すなわちＬＥＤ負荷の明るさが変動しない場合について説明しているが、これに限定されるものではなく、一のＬＥＤ負荷を消灯させ、他のＬＥＤ負荷を点灯させている場合に、当該一のＬＥＤ負荷を点灯させる信号（調光率を変更する信号ではない）を受付けた場合でも、他のＬＥＤ負荷への出力電流、すなわち他のＬＥＤ負荷の明るさを変動させないようにすることもできる。
【００９２】
上述の実施の形態では、ＬＥＤを光源として用いる例を説明したが、ＬＥＤに限定されず、ＥＬ（Electro-Luminescence）等の他の光源を用いてもよい。また、上述の実施の形態では、ＬＥＤ負荷を２つ備える構成であったが、ＬＥＤ負荷を３つ以上備える構成であってもよい。
【００９３】
上述の実施の形態では、電源装置の出力電流をＬＥＤに供給する照明装置の例について説明したが、電源装置の負荷はＬＥＤ等の光源に限定されるものではなく、複数の負荷を個別に制御する機能を有するものであれば、照明装置だけでなく他の電気機器にも本実施の形態を適用することができる。
【符号の説明】
【００９４】
１、２  ＬＥＤ負荷
１０  定電流回路
１１  出力電流制御回路
１２  電流設定部
２０、３０  ＰＷＭ回路
４０  受信部
５０  制御部
６１、６２  スイッチ回路
【図１】
2012221714.tif 000003
【図２】
2012221714.tif 000004
【図３】
2012221714.tif 000005
【図４】
2012221714.tif 000006
【図５】
2012221714.tif 000007
【図６】
2012221714.tif 000008
【図７】
2012221714.tif 000009
【図８】
2012221714.tif 000010
【図９】
2012221714.tif 000011
【図１０】
2012221714.tif 000012
【図１１】
2012221714.tif 000013
【図１２】
2012221714.tif 000014